(57)【要約】  コイルボディ（１４）内および／または作動磁石（１２）のハウジング部分内で案内される作動磁石（１２）を有する制御部分（１０）のためのアンロック装置であって、作動部分（１６）を有しており、前記作動部分が第１の軸（２０）に沿って移動可能であり、かつ作動位置において第２の軸（２６）を中心に揺動可能に配置されている制御装置（２４）のための揺動路（２２）を解放する。制御装置（２４）がロック部分（３０）を有しており、ロック部分（３０）は作動部分（１６）によって制御装置（２４）を介してアンロックされて駆動すべき制御部分（１０）のための移動路（３２）を解放する。前記アンロック装置は、揺動レバー（３４）を有しており、前記揺動レバーが第２の軸（２６）を中心に揺動可能にハウジング部分（２８）内で案内されている。第２の軸（２６）が、第１の軸（２０）に対して平行に延びており、作動磁石（１２）が作動されない状態において、揺動レバー（３４）の一方の自由端部が、作動部分（１６）と添接しており、かつ揺動レバー（３４）の他方の端部に、ロック部分（３０）が設けられており、前記ロック部分によって制御部分（１０）がロック位置に保持される。
2009517259.tif 000002
【特許請求の範囲】
【請求項１】
コイルボディ（１４）内および／または作動磁石（１２）のハウジング部分内で案内される作動磁石（１２）を有する、制御部分（１０）のためのアンロック装置であって、
作動部分（１６）を有し、前記作動部分（１６）は第１の軸（２０）に沿って移動可能であり、かつ、作動位置において第２の軸（２６）を中心に揺動可能に配置された制御装置（２４）のための揺動路（２２）を解放し、
制御装置（２４）がロック部分（３０）を有し、前記ロック部分（３０）が、前記作動部分（１６）を用いて制御装置（２４）を介してアンロックされて、駆動すべき制御部分（１０）のための移動路（３２）を解放する、前記アンロック装置において、
制御装置（２４）が、第２の軸（２６）を中心に揺動可能にハウジング部分（２８）内で案内されている揺動レバー（３４）を有しており、
第２の軸（２６）が、第１の軸（２０）に対して平行に延びており、
作動磁石（１２）が作動されない状態において、揺動レバー（３４）の一方の自由端部が、作動部分（１６）と添接しており、かつ、
揺動レバー（３４）の他方の端部に、ロック部分（３０）が設けられており、前記ロック部分によって制御部分（１０）がロック位置に保持されている、
ことを特徴とする制御部分のためのアンロック装置。
【請求項２】
作動磁石（１２）が作動された状態において、制御部分（１０）がエネルギ蓄積装置を用いて揺動レバー（３４）のためのアンロックを誘起し、前記揺動レバーが第２の軸（２６）を中心にアンロック位置へ揺動する、ことを特徴とする請求項１に記載のアンロック装置。
【請求項３】
作動磁石（１２）が、カップ形状に形成されて、リング形状のコイルボディ（１４）を有しており、前記コイルボディが作動部分（１６）として、平坦な筒状−多角形状でも−の作動ロッドを有している、ことを特徴とする請求項１または２に記載のアンロック装置。
【請求項４】
制御部分（１０）が、弓形ばねから、好ましくは二重弓形ばね（４０）の形式で、形成されており、
アンロックされた状態において、前記弓形ばねのエネルギ蓄積装置がばねエネルギの形式で、ばねのために制御装置（２４）の、移動路（３２）に沿って、第１および第２の軸（２０、２６）に対して平行に延びる第３の軸（４２）を中心とする、揺動戻りを可能にする、
ことを特徴とする請求項１から３のいずれか１項に記載のアンロック装置。
【請求項５】
制御装置（２４）のロック部分（３０）が、鉤付開口部（３６）の形式で形成されている、ことを特徴とする請求項１から４のいずれか１項に記載のアンロック装置。
【請求項６】
揺動レバー（３４）が、その一方の、作動部分（１６）へ向いた自由端部において、爪状に細くなる湾曲を有しており、前記湾曲が少なくとも部分的に、作動部分（１６）の外周面の湾曲に従うことを特徴とする請求項１から５のいずれか１項に記載のアンロック装置。
【請求項７】
二重弓形ばね（４０）の弓形部分（４４）が、ロック位置において制御装置（２４）のロック部分（３０）内へ嵌入し、かつ
二重配置に該当する２つのラウンドばね（４６）が、第３の軸（４２）を定める、
ことを特徴とする請求項１から６のいずれか１項に記載のアンロック装置。
【発明の詳細な説明】
【技術分野】
【０００１】
本発明は、コイルボディ内および／または作動磁石のハウジング部分内で案内される作動磁石を有する、制御部分のためのアンロック装置であって、作動部分を有し、前記作動部分は第１の軸に沿って移動可能であり、かつ、作動位置において第２の軸を中心に揺動可能に配置された制御装置のための揺動路を解放し、制御装置がロック部分を有し、前記ロック部分が、前記作動部分を用いて制御装置を介してアンロックされて、駆動すべき制御部分のための移動路を解放する。
【背景技術】
【０００２】
この種の装置は公知である（特許文献１を参照）。そのアンロック装置は、多数の適用場合のために使用することができる。特に、技術的構成部分のための作動プロセスが所望かつ確実な機能で実現されることが重要であるところにおいては、アンロック装置に作動磁石が設けられる。というのは、そのための作動磁石は、ラフな日常駆動においても、たとえば振動または衝撃が発生する場合に、経験的に確実な機能で使用されているからである。この種のアンロック装置によって、特に自動車領域において安全技術的に重要な構成部分がアンロックされ、それが立ち上がるべきロールオーバー保護アーチ構造の形式であろうと、クラッシュの場合に、シートユーザーの後頭部とヘッドレストへの頭部当接面との間の自由な当接距離を減少させるために、前方へ移動するヘッドレストなどの形式であろうと、機能する。
【特許文献１】独国特許出願公開第１０２１５０５４Ａ１号
【発明の開示】
【発明が解決しようとする課題】
【０００３】
本発明の課題は、コンパクトで、ラフな駆動条件の元でも確実に機能する構造を有するアンロック装置を提供することである。
【課題を解決するための手段】
【０００４】
本発明によれば、この課題は、請求項１の特徴全体を有する、アンロック装置によって解決される。
【０００５】
本発明に基づくアンロック装置の特殊な軸配置によって、作動部分と横に揺動する揺動レバーとを有する作動磁石が極めて小さい組込み空間内に収容されるので、この装置は自動車の内部に場所をとらずに収容できる。場所をとらない構造であるので、このアンロック装置は、これまで従来技術において、場合によっては取扱いの複雑なロープまたはボーデンワイヤが比較的大きい距離区間を介して初めて作動プロセスをもたらしていたところでも、直接作動プロセスの箇所に使用される。
【０００６】
本発明に基づくアンロック装置において、制御装置の揺動レバーが第２の軸を中心に揺動可能にハウジング部分内で案内されており、その場合に第２の軸は第１の軸に対して平行に延びており、作動磁石が作動されない状態において、揺動レバーの一方の自由端部が、作動部分と添接しており、かつその場合に揺動レバーの他方の端部において、ロック部分がロック位置に保持されている。使用される揺動レバーに基づいて、通電による作動磁石の作動後に時間遅延なしで、アンロックプロセスが妨げられずに作動される。
【０００７】
その場合に好ましくは、さらに、作動磁石が作動された状態において、制御部分がエネルギ蓄積装置を用いて揺動レバーのためのアンロックを促し、その限りにおいて揺動レバーが第２の軸を中心にアンロック位置へ揺動する。エネルギ蓄積装置を用いて付勢された制御部分に基づいて、アンロックプロセスがスムーズかつ遅延なく急速に作動され、それもまた、安全装置をリアルタイムで作動させることに対する高い安全要請に対処する。
【０００８】
配置は、ロック部分がハウジング部分内で案内されており、かつ、ブロッキング部分によってアンロックされた位置に保持されて、制御部分が不用意に新たにロックされることが防止されるように、行うこともできる。それによって、うっかりと、すでに能動化されている安全装置が初期位置へ復帰されて、そこから新たに作動する場合に、たとえば安全装置自体またはその部分が新たな駆動開始前にまず新しい部品と交換されなければならなくなることによって、もはやその課題を確実な機能で満たすことができなくなる、ということがないことが、保証される。好ましくは制御部分のために、ブロッキング部分のためと同様に、ばね配置が使用される場合には、原理に従ってばねまたはばね部材の形式の技術的作動種類のみによって、それぞれの作動状態またはブロッキング状態が形成され、それが高い実用性要請を考慮している。
【０００９】
本発明に基づくアンロック装置の他の好ましい実施形態が、その他の下位請求項の対象である。
【００１０】
以下、本発明に基づく制御部分のためのアンロック装置を、図面に示す実施例に基づいて詳細に説明する。その場合に図は原理的な表示であって、寸法通りではない。
【発明を実施するための最良の形態】
【００１１】
図１の斜視図に示す、制御部分１０のためのアンロック装置は、作動磁石１２のような、その最も重要な構成部分を示している。作動磁石１２は、詳細には図示されないコイル巻線を備えたコイルボディ１４を有しており、そのコイル巻線内で円筒状またはバー形状の作動磁石１２が長手方向に移動可能に案内されている。通常の電磁石の形式で形成されている作動磁石１２は、接続コネクタ１８を介してコイルボディ１４が通電された場合に作動部分１６が内側へ、従って図２の視線方向に見て後方の図平面の方向へ、引き込まれるように、設計されている。コイルボディ１４が通電されない場合には、詳細に図示されない復帰ばねが作動部分１６を、作動磁石１２の前側を含めてコイルボディ１４の前側を越えて予め定められた張出し量で突出するように、復帰させることができる。従ってその限りにおいて、作動部分１６は、第１の軸２０に沿って移動可能に配置されている。
【００１２】
図３に示す、アンロック装置の作動位置において、作動部分１６は作動磁石１２によって後方へ引っ張られており、従って第１の軸２０に対して横方向に延びる、図３に矢印で示される揺動路２２を解放し、この揺動路２２に沿って制御装置２４が、第１の軸２０に対して平行に延びる第２の軸２６を中心に時計方向に揺動する。そのために第２の軸２６は、たとえば揺動軸または揺動ピンとして形成されており、その限りにおいて終端側の、その自由端部を、好ましくは適切なプラスチック材料からなるハウジング部分２８内で案内されている。図１から３にさらに示すように、制御装置２４はロック部分３０を有しており、そのロック部分は、制御装置２４を介して作動部分１６によって、図３に矢印で示す移動路３２を、駆動すべき制御部分１０のために解放する。図１と２が、制御部分１０のためのロックされた位置に該当する限りにおいて、ロック部分３０が制御部分１０を少なくとも部分的に包囲し、そのようにしてロックされた位置に固定することが、明らかである。
【００１３】
制御装置２４は、図４に詳細に示すように、揺動レバー３４を有している。この揺動レバー３４は、すでに示されているように、第２の軸２６を中心にハウジング部分２８内で揺動可能に案内されており、そのハウジング部分は、表示を簡単にするために、図４では省かれている。揺動レバー３４は、作動磁石１２が作動されない状態においては、その一方の自由端部において作動部分１６と添接しており、その場合に図４に示す表示によれば、まさに作動部分１６が作動磁石１２のコイルボディ１４内へ入り込んでおり、その限りにおいて揺動レバー３４のための揺動路２２を解放している。その限りにおいて、作動部分１６が引き戻された状態において、作動部分の前側は、コイルボディ１４の、図３の観察者へ向いた前側と共に平坦な前平面を形成する。
【００１４】
図４に基づく表示によれば、そこで、揺動レバー３４はまだ作動されない位置で示されているので、その限りにおいて、揺動レバー３４の他方の端部において制御部分１０はロック位置に保持されている。制御装置２４のロック部分３０は、鉤付開口部３６の形式で形成されており、従ってそのようなロック部分３０は中央に、従って装置の中心に力の均衡状態で配置することができ（図１を参照）、その中心配置を保証することができるようにするために、制御レバー３４は軸方向の変位部分３８を有している。従ってアンロックプロセスのために、鉤付開口部３６が揺動軸２６を中心に図１と２に示すロック位置から図３に示すアンロック位置へ時計方向に揺動する。
【００１５】
所定の適用課題においては、作動部分１６がコイルボディ１４内へ引き込まれるとすぐに、揺動レバーを揺動路２２に沿って移動させるために、たとえば第２の軸２６自体に回転ばねなどを取り付けることも、考えられる。しかし、この場合においては、作動磁石１２が作動された状態において、制御部分１０はエネルギ蓄積装置によって外部から揺動レバー３４のためのアンロックを促され、その後揺動レバーが第２の軸２６を中心にアンロック位置へ揺動する。そのために、制御部分１０は、好ましくは二重弓形ばね４０の形式の、弓形ばねを有しており、そのエネルギ蓄積装置がばねエネルギの形式でアンロックされた状態において移動路３２に沿って制御部分１０のための制御装置２４から離れる方向への、特に、第１および第２の軸２０、２６に対して平行な第３の軸４２を中心とする、揺動を可能にする。従って、二重弓形ばね４０の形式の制御部分１０の固有動特性に基づいて、アンロックを外部制御で行うことができるようにするために、作動磁石１２を作動させるだけで、十分である。
【００１６】
作動磁石１２は、カップ形状に形成されており、その限りにおいてリング形状のコイルボディ１４を有しており、その巻線端部は接続コネクタ１８に然るべく接続されている。作動部分１６として、コイルボディ１４はフラットな筒状の作動ロッドを有しており、その作動ロッドはリング状のコイルボディ１４と同様にカップ形状を有しており、かつこのコイルボディ内で長手方向に移動可能に案内されている。さらに、図４から明らかなように、揺動レバー３４は、その一方の、作動部分１６へ向いた自由端部において、爪の形状に細くなるように、少なくとも部分的に作動部分１６の外周面の湾曲に合った（図２も参照）湾曲を有している。上述した二重弓形ばね４０の弓形部分４４が、ロック位置において、制御装置２４のロック部分３０内へ嵌入し、その場合に、二重配置に該当する、２つのラウンドばね４６が、第３の軸４２を中央に包囲する。
【００１７】
図３の表示に示すように、制御部分１０が軸４２を中心に反時計方向に戻るように揺動された場合に、弓形部分４４が再び鉤付開口部３６内へ嵌入し、揺動レバー３４は、反時計方向に図４に示すその初期位置へ揺動する。作動磁石１２が長い間通電されない場合に、作動部分１６は、たとえば詳しく図示されない復帰ばねの作用を受けて突出し、その場合にその外周面が再び揺動レバー３４の内側に直接添接する。従ってその限りにおいて、それなりの復帰プロセスを介してアンロック装置を、再び「シャープ」にすることができる。たとえば、安全装置（図示せず）の一部または安全装置自体を交換するために、これを阻止しようとする場合には、弓形部分４４が再び意図せずにロック部分３０およびその鉤付開口部３６と係合することが、阻止されなければならない。これを阻止するために、ロック部分３０が図３に示す、そのアンロック位置に保持されなければならない。そのために、図５に示すブロッキング部部分４８が用いられ、それが、制御部分１０の不用意な、新たなロックを阻止する。
【００１８】
ブロッキング部分４８は、好ましくは同様に弓形ばね５０からなり、その弓形ばねの自由なばね端部５２が、少なくとも部分的にハウジング部分２８に沿って案内されて、制御部分１０を解放する位置へ移動することができる。その状況を明らかにするために、図５においては正面図に関して、ロック部分３０の上側における弓形ばね５０の作用を説明するために、ハウジング部分２８の壁の一部が除去されている。図５に示す位置において、ブロッキング部分としての弓形ばね５０が、そのブロッキング位置で示されている。アンロックプロセスが作動された場合に、ロック部分３０が上方へ跳ね上がって、ばね端部５２の間の締付け間隙内へ来る。その場合にばね端部５２は、ロック部分３０が図３に示すアンロック位置に保持されるように、ばね端部の間にロック部分３０の一部を挟持する。図５の視線方向に見て、手で弓形ばね５０が下方へ移動された場合に、自由なばね端部５２はハウジング部分２８の斜めガイド５４に沿って滑り移動するので、ばね端部５２が互いに離れるように開いて、その後ロック部分３０のための揺動路を解放し、それによってロック部分が再びロック位置へ戻ることができる。新たなアンロックプロセスにおいて、ロック部分３０が再び上方へ跳ね上がり、ロック部分３０のための挟持間隙を形成しながら、弓形ばね５０を連動させるので、ロック部材は再びそのアンロックされた位置にブロックされて、不用意にロック位置へ戻るように揺動することはできない。
【００１９】
本発明に基づくアンロック装置は、多数の適用のために使用され、二重弓形ばね配置４０の形式の制御部分１０の代わりに、一重のばね（図示せず）も考えられる。たとえば、ロールオーバー保護アーチ構造の部分のような、その他の技術的コンポーネントも、ロック部分３０の鉤付開口部３６によって保持されるので、その限りにおいて適用領域を任意に拡大することができる。さらに、図１に示す形態は、ハウジング部分なしでもアンロック装置として使用することができ、あるいは別体のハウジング部分（図示せず）が組込み場所で装置のための収容部を形成する。
【００２０】
本発明に基づく解決は、特に、揺動レバー３４の形式でワンレバーを介して機能制御が行われることも、特徴としている。
【図面の簡単な説明】
【００２１】
【図１】本発明に基づく装置の主要な部分の正面を斜視図で示している。
【図２】図１に示す装置をロックされた状態で側方から示している。
【図３】図１に示す装置をアンロックされた状態で側方から示している。
【図４】作動磁石の上面を斜視図で示している。
【図５】挿入されたブロッキング部材を有する装置のハウジングを一部切り開いて示している。
【図１】
2009517259.tif 000003
【図２】
2009517259.tif 000004
【図３】
2009517259.tif 000005
【図４】
2009517259.tif 000006
【図５】
2009517259.tif 000007
【国際調査報告】
2009517259.tif 000008
2009517259.tif 000009
2009517259.tif 000010
2009517259.tif 000011
2009517259.tif 000012
2009517259.tif 000013